(57)【要約】  【課題】  本発明は、風雑音の発生する周波数域に応じた低減処理動作を行うとともに必要な音響成分の減衰を抑制することができる風雑音低減装置及びこの風雑音低減装置を備えた電子機器を提供することを目的とする。  【解決手段】  時間周波数変換部１Ｌ，１Ｒで周波数軸方向のＬ信号及びＲ信号が得られると、風雑音判定部２−１〜２−Ｎそれぞれにおいて、Ｌ信号及びＲ信号の相関値を周波数帯域毎に算出する。そして、Ｌ信号及びＲ信号の相関値と閾値との比較を行うことで、周波数帯域毎の風雑音の判定を行うとともに、信号減衰部３Ｌ−１〜３Ｌ−Ｎ，３Ｒ−１〜３Ｒ−Ｎで周波数帯域毎の風雑音の減衰処理を施す。【選択図】      図１
2009005133.tif 000002
【特許請求の範囲】
【請求項１】
２以上のマイクロフォンによって取得された２以上の音響信号より風雑音の有無を判定して、前記音響信号から風雑音を低減する風雑音低減装置において、
分割された３帯域以上となるｎ帯域の周波数帯域毎に前記２以上の音響信号の相関値を算出して、当該ｎ帯域の周波数帯域それぞれに対して風雑音の有無を判定する風雑音判定部と、
該風雑音判定部によって風雑音が有ると判定された周波数帯域の前記２以上の音響信号のみを減衰させる信号減衰部と、
を備え、
前記風雑音判定部が、前記周波数帯域毎に設定された閾値を備え、
前記風雑音判定部において前記周波数帯域毎に前記風雑音の有無を判定するとき、前記相関値が前記閾値より低くなることを確認すると、その周波数帯域における前記２以上の音響信号の相関が低く前記風雑音が有る信号であると判定することを特徴とする風雑音低減装置。
【請求項２】
前記信号減衰部において設定される前記周波数帯域毎の減衰量が、前記相関値に応じて変動する値であることを特徴とする請求項１に記載の風雑音低減装置。
【請求項３】
前記信号減衰部において、前記音響信号を減衰させる際の減衰量を乗数として前記音響信号を指数演算することで、前記音響信号の減衰処理を行うことを特徴とする請求項１又は請求項２に記載の風雑音低減装置。
【請求項４】
前記信号減衰部において、前記音響信号を減衰させる際の減衰量を係数として前記音響信号に乗算することで、前記音響信号の減衰処理を行うことを特徴とする請求項１又は請求項２に記載の風雑音低減装置。
【請求項５】
前記風雑音判定部において、低い周波数帯域ほど前記閾値が高く設定され、高い周波数帯域ほど前記閾値が低く設定されることを特徴とする請求項１〜請求項４のいずれかに記載の風雑音低減装置。
【請求項６】
所定期間となるフレーム毎に風雑音の有無が判定されるとともに、
前記風雑音判定部において、前記周波数帯域毎の前記閾値を、前フレームの風雑音の有無の判定結果に基づいて変動させることを特徴とする請求項１〜請求項５のいずれかに記載の風雑音低減装置。
【請求項７】
前記風雑音判定部において、前記周波数帯域毎の前記閾値を、低い周波数帯域における風雑音の有無の判定結果に基づいて変動させることを特徴とする請求項１〜請求項６のいずれかに記載の風雑音低減装置。
【請求項８】
２以上のマイクロフォンによって取得された２以上の音響信号を記録又は再生を行う電子機器であって、
前記２以上の音響信号を周波数軸方向の信号とする周波数軸方向信号生成部と、
前記周波数軸方向信号生成部において周波数軸方向の信号とされた前記２以上の音響信号に対して、周波数帯域毎の風雑音低減処理を施す風雑音低減部と、
を備え、
前記風雑音低減部を、請求項１〜請求項７のいずれかに記載の構成となる風雑音低減装置とすることを特徴とする電子機器。
【発明の詳細な説明】
【技術分野】
【０００１】
本発明は、マイクロフォンなどによって音響信号を取得したときに音響信号に含まれる風による雑音を低減する風雑音低減装置、及び、この風雑音低減装置を備えた音響信号の再生又は記録を行う電子機器に関する。
【背景技術】
【０００２】
従来から、マイクロフォンなどの収音機を使って屋外の音声を収音する際、風が収音機に当たることで、風雑音が発生するため、この風雑音と共に音声が収音される。この屋外収音における風雑音を防ぐために、収音機にジャーマーと呼ばれる風防装置を取り付け、或いは、ウレタンで収音機をカバーするなどの対応がなされる。しかしながら、小型ビデオカメラ等を含む音声収音機能を備える小型電子機器においては、機器自身を小型化するために、内蔵マイクロフォンに機構的な風防装置を設置することが困難である。よって、この機構的な風防装置に代わって、その機器内部に風雑音を低減するための風雑音低減装置が設けられる。
【０００３】
この電子機器内部に設けられる従来の風雑音低減装置は、左右方向からの音声を独立して収音するマイクロフォン（以下、「ステレオマイク」と呼ぶ）で取得された左右方向それぞれの音響信号に対して、風雑音の低減処理を行う。このステレオマイクで取得された左右方向それぞれの音響信号に含まれる風雑音が、以下の２つの特性を備える。
（１）ステレオマイクで取得された左右方向それぞれからの風雑音の間には、ほとんど相関性がない。
（２）風雑音が低域（５０Ｈｚ〜１ｋＨｚ）に集中する傾向がある。
【０００４】
よって、従来の風雑音低減装置は、上述した２つの特性を考慮した構成とすることで、風雑音の低減処理が実現される。この従来の風雑音低減装置の構成を、図６に示すとともに、以下で説明する。尚、ステレオマイクで取得される左方向からの音響信号をＬ信号とし、右方向からの音響信号をＲ信号とする。
【０００５】
図６に示す風雑音低減装置は、ステレオマイクで取得されたＬ信号及びＲ信号の相関値を算出する相関値算出部２０１と、Ｌ信号及びＲ信号それぞれの低域成分を通過させるローパスフィルタ（ＬＰＦ）２０２Ｌ，２０２Ｒと、Ｌ信号及びＲ信号それぞれの高域成分を通過させるハイパスフィルタ（ＨＰＦ）２０３Ｌ，２０３Ｒと、ＬＰＦ２０２Ｌ，２０２Ｒそれぞれを通過した低域成分を減衰させる減衰回路２０４Ｌ，２０４Ｒと、ＨＰＦ２０３Ｌ，２０３Ｒそれぞれを通過した高域成分に減衰回路２０４Ｌ，２０４Ｒからの低域成分を加算する加算回路２０５Ｌ，２０５Ｒと、を備える。
【０００６】
このような構成の風雑音低減装置では、相関値算出部２０１でＬ信号とＲ信号の相関値が算出されることにより、減衰回路２０４Ｌ，２０４Ｒでの減衰量が設定される。即ち、相関値算出部２０１で算出された相関値が小さいと、風雑音が含まれているものと判断されて、減衰回路２０４Ｌ，２０４Ｒで減衰される量を大きく設定する。一方、相関値算出部２０１で算出された相関値が閾値より大きいと、風雑音が含まれていないものと判断されるため、減衰回路２０４Ｌ，２０４Ｒで減衰されることなく、ＬＰＦ２０２Ｌ，２０３Ｒを通過した低域成分が加算回路２０５Ｌ，２０５Ｒに与えられる。
【０００７】
このとき、ＬＰＦ２０２Ｌ，２０２Ｒが、数ｋＨｚまでの低域成分を通過するような構成とされるとともに、ＨＰＦ２０３Ｌ，２０３Ｒが、ＬＰＦ２０２Ｌ，２０２Ｒで通過することができない高域成分を通過するような構成とされる。これにより、ＬＰＦ２０２Ｌ，２０２Ｒを通過する低域成分に、低域〜中域（５０Ｈｚ〜１ｋＨｚ）に集中して存在する風雑音成分が含まれるため、減衰回路２０４Ｌ，２０４Ｒで、この低域成分を減衰又はカットすることで、加算回路２０５Ｌ，２０５Ｒで合成後のＬ信号及びＲ信号において、風雑音成分を低減することができる。
【０００８】
この図６の構成の風雑音低減装置と同等の風雑音低減機能を備えた収音装置として、ステレオマイクで取得したＬ信号及びＲ信号から、その低域の差成分を減算した後、更に、差成分が減算されたＬ信号及びＲ信号の加算信号の低域成分を減算するものが提供されている（特許文献１参照）。そして、この特許文献１の収音装置では、Ｌ信号及びＲ信号の低域の差成分の値に基づいて、Ｌ信号及びＲ信号から減算する差成分及び加算信号のゲイン設定が行われて、風雑音の低減が図られている。
【０００９】
又、風雑音の低減を目的とした録音装置として、マイクロフォンに並べて風圧センサを配置し、風圧センサで検出した風圧信号に基づいて、低域成分を遮断するための遮断周波数（カットオフ周波数）が設定されるものが提供されている（特許文献２参照）。この特許文献２の録音装置では、風圧センサで検出された風圧値に基づいて遮断周波数が設定されるとともに、風音のレベルに応じてゲイン設定を行うことによって、風雑音を低減するとともに、音声信号を最適な信号レベルに設定する。
【特許文献１】特開平１１−６９４８０号公報
【特許文献２】特開平５−３２８４８０号公報
【発明の開示】
【発明が解決しようとする課題】
【００１０】
しかしながら、図６の構成の風雑音低減装置や特許文献１の収音装置においては、ＬＰＦ及びＨＰＦにおけるカットオフ周波数が固定されているため、ＬＰＦを通過する周波数帯域の風雑音のみが低減処理されることとなる。しかしながら、実際には強い風が吹くことにより、３〜５ｋＨｚの中域まで風雑音が発生する場合がある。そのため、図６の構成や特許文献１の構成において、風雑音が低域（５０Ｈｚ〜１ｋＨｚ）にあることを前提に構成した場合、十分に風雑音を低減できない場合がある。
【００１１】
即ち、図７（ａ）のように中域までの周波数帯域０〜Ｆｘまでの風雑音がある音響信号において、ＬＰＦのカットオフ周波数が周波数Ｆｘよりも低いｆｃとなるとき、図７（ｂ）のように、周波数帯域ｆｃ〜Ｆｘの風雑音については低減されない。そのため、音響信号を再生したときに、ボコボコというノイズ感が感じられてしまう。又、特許文献２のように風圧センサによって検出した風圧に応じて、カットオフ周波数を設定することができるが、風圧センサを設置する必要があるため、装置の小型化の妨げになる。
【００１２】
このような問題を鑑みて、本発明は、風雑音の発生する周波数域に応じた低減処理動作を行うとともに必要な音響成分の減衰を抑制することができる風雑音低減装置及びこの風雑音低減装置を備えた電子機器を提供することを目的とする。
【課題を解決するための手段】
【００１３】
上記目的を達成するために、本発明の風雑音低減装置は、２以上のマイクロフォンによって取得された２以上の音響信号より風雑音の有無を判定して、前記音響信号から風雑音を低減する風雑音低減装置において、分割された３帯域以上となるｎ帯域の周波数帯域毎に前記２以上の音響信号の相関値を算出して、当該ｎ帯域の周波数帯域それぞれに対して風雑音の有無を判定する風雑音判定部と、該風雑音判定部によって風雑音が有ると判定された周波数帯域の前記２以上の音響信号のみを減衰させる信号減衰部と、を備え、前記風雑音判定部が、前記周波数帯域毎に設定された閾値を備え、前記風雑音判定部において前記周波数帯域毎に前記風雑音の有無を判定するとき、前記相関値が前記閾値より低くなることを確認すると、その周波数帯域における前記２以上の音響信号の相関が低く前記風雑音が有る信号であると判定することを特徴とする。
【００１４】
このような風雑音低減装置において、前記信号減衰部において設定される前記周波数帯域毎の減衰量を、人間の聴覚心理モデルに基づいて設定された値とする。このとき、周波数の異なる音に対する、その音圧レベルと人間の聞こえる音の大きさとの関係を表すラウドネス曲線に基づいて、前記周波数帯域毎の減衰量が設定されるものとしても構わない。更に、前記減衰量を前記相関値に応じて変動する値としても構わないし、固定値としても構わない。
【００１５】
又、上述の風雑音低減装置の前記信号減衰部において、前記音響信号を減衰させる際の減衰量を乗数として前記音響信号を指数演算することで、前記音響信号の減衰処理を行うものとしても構わないし、前記音響信号を減衰させる際の減衰量を係数として前記音響信号に乗算することで、前記音響信号の減衰処理を行うものとしても構わない。
【００１６】
そして、前記信号減衰部において設定される前記周波数帯域毎の前記減衰量を、人間の可聴周波数帯域の中域よりも低域を若干大きい値とすることで、人間の聴覚心理において聞こえない低域の音の減衰を抑えることができる。又、前記信号減衰部において設定される前記周波数帯域毎の前記減衰量について、風雑音の少ない高帯域の方が、風雑音の多い低帯域よりも大きくなるように設定されることで、その減衰される度合いを小さくすることができる。
【００１７】
又、上述の風雑音低減装置の風雑音判定部において、低い周波数帯域ほど前記閾値が高く設定され、高い周波数帯域ほど前記閾値が低く設定される。そして、所定期間となるフレーム毎に風雑音の有無が判定されるとともに、前記風雑音判定部において、前記周波数帯域毎の前記閾値を、前フレームの風雑音の有無の判定結果に基づいて変動させるものとしても構わない。又、前記風雑音判定部において、前記周波数帯域毎の前記閾値を、低い周波数帯域における風雑音の有無の判定結果に基づいて変動させるものとしても構わない。
【００１８】
本発明の電子機器は、２以上のマイクロフォンによって取得された２以上の音響信号を記録又は再生を行う電子機器であって、前記２以上の音響信号を周波数軸方向の信号とする周波数軸方向信号生成部と、前記周波数軸方向信号生成部において周波数軸方向の信号とされた前記２以上の音響信号に対して、周波数帯域毎の風雑音低減処理を施す風雑音低減部と、を備え、前記風雑音低減部を、上述のいずれかの構成となる風雑音低減装置とすることを特徴とする。
【００１９】
そして、この電子機器が音響信号の記録装置であって、前記周波数軸方向信号生成部を、記録する前記音響信号を圧縮符号化する際のフィルタバンクとしても構わない。
【００２０】
又、この電子機器が音響信号の再生装置であって、前記周波数軸方向信号生成部を、圧縮符号化信号による前記音響信号を再生する際に量子化された前記圧縮符号化信号を復調する復調回路としても構わない。
【発明の効果】
【００２１】
本発明によると、周波数帯域毎に風雑音の有無を判定するとともに、風雑音の低減処理についても周波数帯域毎に施すことができるため、風の強弱に応じた最適な低減処理を施すことができる。複数の音響信号の相関値によって風雑音の有無を判定するため、風雑音を検出するための風圧センサなどの検出器を設ける必要がない。又、人間の聴覚心理モデルに基づいて設定された値とされた減衰量によって減衰処理を行うため、風雑音の低減するための減衰処理を施した音響信号を、人間の聴覚に対して歪みの小さい音響信号とすることができる。
【００２２】
又、音響信号の記録を行う電子機器において、周波数軸方向信号生成部をフィルタバンクとすることによって、圧縮符号化を行う従来のブロックに追加した構成とすることで、簡単に風雑音を低減する構成を追加することができる。同様に、音響信号の再生を行う電子機器において、周波数軸方向信号生成部を復調回路とすることによって、伸長復号化を行う従来のブロックに追加した構成とすることで、簡単に風雑音を低減する構成を追加することができる。これらのことから、風雑音低減処理部を備えた電子機器における回路規模を、従来と比べて縮小することが可能である。
【発明を実施するための最良の形態】
【００２３】
＜基本構成＞
まず、本発明の風雑音低減装置の各実施形態における基本構成について、図面を参照して説明する。図１は、本発明における基本構成となる風雑音低減装置の機能構成を示すブロック図である。
【００２４】
図１に示す風雑音低減装置は、ステレオマイクによって取得されたＬ信号及びＲ信号それぞれを時間軸の信号Ｌ（ｔ），Ｒ（ｔ）から周波数軸の信号Ｌ（ｆ），Ｒ（ｆ）に変換する時間周波数変換部１Ｌ，１Ｒと、時間周波数変換部１Ｌ，１Ｒで周波数変換されたＬ信号及びＲ信号Ｌ（ｆ），Ｒ（ｆ）の指定された周波数帯域に対して相関値を求めて風雑音の有無を判定する風雑音判定部２−１〜２−Ｎと、指定された周波数帯域のＬ信号及びＲ信号それぞれを風雑音判定部２−１〜２−Ｎの判定結果に基づいた減衰量で減衰する信号減衰部３Ｌ−１〜３Ｌ−Ｎ，３Ｒ−１〜３Ｒ−Ｎと、信号減衰部３Ｌ−１〜３Ｌ−Ｎからの各周波数帯域のＬ信号を合成する合成部４Ｌと、信号減衰部３Ｒ−１〜３Ｒ−Ｎからの各周波数帯域のＲ信号を合成する合成部４Ｒと、合成部４Ｌ，４Ｒそれぞれで合成された周波数軸の信号であるＬ信号Ｌｘ（ｆ）及びＲ信号Ｒｘ（ｆ）を時間軸の信号Ｌｘ（ｔ），Ｒｘ（ｔ）に変換する周波数時間変換部５Ｌ，５Ｒと、を備える。
【００２５】
このように構成される風雑音低減装置は、時間軸のＬ信号Ｌ（ｔ）及びＲ信号Ｒ（ｔ）がそれぞれ、ステレオマイクから時間周波数変換部１Ｌ，１Ｒに与えられると、ＤＦＴ（Discrete Fourier Transform）やＤＣＴ（Discrete Cosine Transform）などによって周波数軸のＬ信号Ｌ（ｆ）及びＲ信号Ｒ（ｆ）に変換される。この時間周波数変換部１Ｌ，１Ｒでは、時間Δｔ毎に時間軸方向にサンプリングされた信号Ｌ（ｔ），Ｒ（ｔ）が、周波数Δｆ毎に周波軸方向にサンプリングされた信号Ｌ（ｆ），Ｒ（ｆ）に変換される。即ち、ｍサンプル（例えば、ｍ＝２０４８）の時間軸方向の信号Ｌ（ｔ），Ｒ（ｔ）が、ｎサンプル（例えば、ｎ＝１０２４）の周波数軸方向の信号Ｌ（ｆ），Ｒ（ｆ）に変換される。
【００２６】
そして、この周波数軸方向の信号Ｌ（ｆ），Ｒ（ｆ）の内、周波数帯域がｆ［０］（＝０）＜ｆ≦ｆ［１］（＝Δｆ×ｎ［１］）となる信号が風雑音判定部２−１及び信号減衰部３Ｌ−１，３Ｒ−１に、周波数帯域ｆ［１］＜ｆ≦ｆ［２］（＝Δｆ×ｎ［２］）となる信号が風雑音判定部２−２及び信号減衰部３Ｌ−２，３Ｒ−２に、…、周波数帯域ｆ［Ｎ−１］（＝Δｆ×ｎ［Ｎ−１］）＜ｆ≦ｆ［Ｎ］（＝Δｆ×ｎ［Ｎ］）（尚、ｎ［Ｎ］＝ｎである）となる信号が風雑音判定部２−Ｎ及び信号減衰部３Ｌ−Ｎ，３Ｒ−Ｎに、それぞれ与えられる。即ち、周波数帯域がｆ［ｘ−１］（＝Δｆ×ｎ［ｘ−１］）＜ｆ≦ｆ［ｘ］（＝Δｆ×ｎ［ｘ］）（尚、ｘは、１≦ｘ≦Ｎの自然数である。）となるＬ信号及びＲ信号が、風雑音判定部２−ｘ及び信号減衰部３Ｌ−ｘ，３Ｒ−ｘに与えられる。
【００２７】
よって、風雑音判定部２−１及び信号減衰部３Ｌ−１，３Ｒ−１にｎ［１］サンプルの周波数軸方向の信号が、風雑音判定部２−２及び信号減衰部３Ｌ−２，３Ｒ−２に（ｎ［２］−ｎ［１］）サンプルの周波数軸方向の信号が、…、風雑音判定部２−Ｎ及び信号減衰部３Ｌ−Ｎ，３Ｒ−Ｎに（ｎ−ｎ［Ｎ−１］）サンプルの信号が、それぞれ与えられる。即ち、風雑音判定部２−ｘに、周波数帯域がｆ［ｘ−１］＜ｆ≦ｆ［ｘ］となる（ｎ［ｘ］−ｎ［ｘ−１］）サンプルのＬ信号及びＲ信号が与えられ、又、信号減衰部３Ｌ−ｘに、周波数帯域がｆ［ｘ−１］＜ｆ≦ｆ［ｘ］となる（ｎ［ｘ］−ｎ［ｘ−１］）サンプルのＬ信号が与えられるとともに、信号減衰部３Ｒ−ｘに、周波数帯域がｆ［ｘ−１］＜ｆ≦ｆ［ｘ］となる（ｎ［ｘ］−ｎ［ｘ−１］）サンプルのＲ信号が与えられる。
【００２８】
尚、上述のｆ［１］〜ｆ［Ｎ］が、各周波数帯域の境界位置の周波数を表すとともに、上述のｎ［１］〜ｎ［Ｎ］が、各周波数帯域の境界位置の周波数のサンプリング周波数Δｆによるサンプル数を表す。即ち、ｆ＝０となる周波数からｎ［ｘ］番目の周波数が、Δｆ×ｎ［ｘ］＝ｆ［ｘ］となる。又、ｆ［０］及びｎ［０］が０となるとともに、ｎ［Ｎ］がｎとなる。
【００２９】
以下に、風雑音判定部２−１〜２−Ｎそれぞれの動作について、風雑音判定部２−ｘを代表して説明する。上述したように、風雑音判定部２−ｘには、周波数帯域がｆ［ｘ−１］＜ｆ≦ｆ［ｘ］となる（ｎ［ｘ］−ｎ［ｘ−１］）サンプルのＬ信号及びＲ信号が与えられる。即ち、周波数Δｆ×（ｎ［ｘ−１］＋１）、Δｆ×（ｎ［ｘ−１］＋２）、…、Δｆ×ｎ［ｘ］のＬ信号Ｌ（Δｆ×（ｎ［ｘ−１］＋１）），Ｌ（Δｆ×（ｎ［ｘ−１］＋２）），…，Ｌ（Δｆ×ｎ［ｘ］）及びＲ信号Ｒ（Δｆ×（ｎ［ｘ−１］＋１）），Ｒ（Δｆ×（ｎ［ｘ−１］＋２）），…，Ｒ（Δｆ×ｎ［ｘ］）が与えられることとなる。
【００３０】
そして、まず、風雑音判定部２−ｘでは、周波数Δｆ×（ｎ［ｘ−１］＋１）、Δｆ×（ｎ［ｘ−１］＋２）、…、Δｆ×ｎ［ｘ］それぞれの相関値Ｋ［１］、Ｋ［２］、…Ｋ［ｎ［ｘ］−ｎ［ｘ−１］］を、以下の（１）式によって算出する。尚、（１）式は、周波数Δｆ×（ｎ［ｘ−１］＋ｙ）の相関値Ｋ［ｙ］を算出する式である。即ち、周波数Δｆ×（ｎ［ｘ−１］＋ｙ）の相関値Ｋ［ｙ］が、Ｌ信号Ｌ（Δｆ×（ｎ［ｘ−１］＋ｙ））とＲ信号Ｒ（Δｆ×（ｎ［ｘ−１］＋ｙ））とによって算出される。
【００３１】
【数１】
2009005133.tif 000003
【００３２】
そして、このようにして求めた相関値Ｋ［１］、Ｋ［２］、…Ｋ［ｎ［ｘ］−ｎ［ｘ−１］］を平均化することによって、周波数帯域ｆ［ｘ−１］＜ｆ≦ｆ［ｘ］における相関値Ｋａｖ［ｘ］が求められる。即ち、風雑音判定部で求められる相関値Ｋａｖ［ｘ］は、以下の（２）式のように、周波数Δｆ×（ｎ［ｘ−１］＋１）、Δｆ×（ｎ［ｘ−１］＋２）、…、Δｆ×ｎ［ｘ］それぞれの相関値Ｋ［１］、Ｋ［２］、…Ｋ［ｎ［ｘ］−ｎ［ｘ−１］］の総和をサンプル数（ｎ［ｘ］−ｎ［ｘ−１］）で除算した値となる。
【００３３】
【数２】
2009005133.tif 000004
【００３４】
このようにして、周波数帯域ｆ［ｘ−１］＜ｆ≦ｆ［ｘ］における相関値Ｋａｖ［ｘ］が算出されると、閾値Ｔｈ［ｘ］と比較することによって、周波数帯域ｆ［ｘ−１］＜ｆ≦ｆ［ｘ］において風雑音が含まれるか否かが判定される。そして、相関値Ｋａｖ［ｘ］が閾値Ｔｈ［ｘ］より大きい（Ｋａｖ［ｘ］＞Ｔｈ［ｘ］）となるときは、周波数帯域ｆ［ｘ−１］＜ｆ≦ｆ［ｘ］においてＲ信号及びＬ信号の相関が高く、風雑音が無いものと判定する。そして、相関値Ｋａｖ［ｘ］が閾値Ｔｈ［ｘ］以下となるとき（Ｋａｖ［ｘ］≦Ｔｈ［ｘ］）となるときは、周波数帯域ｆ［ｘ−１］＜ｆ≦ｆ［ｘ］においてＲ信号及びＬ信号の相関が低く、風雑音が有るものと判定する。
【００３５】
尚、相関値Ｋ［ｊ］は、風雑音判定部２−１〜２−Ｎそれぞれに与えられる周波数軸の信号となるＲ信号及びＬ信号それぞれに対する相関値であり、風雑音判定部２−１〜２−Ｎそれぞれにおいて、入力される最も低い周波数の信号から順に、相関値Ｋ［１］、Ｋ［２］、Ｋ［３］、…が求められる。
【００３６】
又、上述のＫａｖ［１］〜Ｋａｖ［Ｎ］それぞれが、Ｎ帯域に分割された各周波数帯域における相関値を表すとともに、上述のＴｈ［１］〜Ｔｈ［Ｎ］が、各周波数帯域における風雑音の有無を判定するための閾値を表す。即ち、ｆ＝０となる周波数からｎ［ｘ］番目の周波数帯域における相関値が、Ｋａｖ［ｘ］となり、閾値Ｔｈ［ｘ］と比較されることによって、風雑音の有無が判定される。尚、この閾値Ｔｈ［ｘ］の設定については、後述する。
【００３７】
そして、風雑音判定部２−１〜２−Ｎそれぞれで、上述のようにして、相関値Ｋａｖ［１］〜Ｋａｖ［Ｎ］と閾値Ｔｈ［１］〜Ｔｈ［Ｎ］との関係に基づいて風雑音の有無の判定を行うと、信号減衰部３Ｌ−１〜３Ｌ−Ｎ，３Ｒ−１〜３Ｒ−Ｎそれぞれにおける減衰量α［１］〜α［Ｎ］が設定される。即ち、風雑音判定部２−ｘでは、風雑音の有無の判定を行うと、その判定結果に基づいて、信号減衰部３Ｌ−ｘ，３Ｒ−ｘそれぞれにおける減衰量α［ｘ］が設定される。尚、風雑音が有るものと判定されたときに設定される減衰量αｋ［ｘ］については、後述する。
【００３８】
このとき、風雑音判定部２−ｘで風雑音が無いものと判定されたとき、減衰量α［ｘ］が１に設定されることによって、周波数帯域がｆ［ｘ−１］＜ｆ≦ｆ［ｘ］となるＬ信号及びＲ信号それぞれが、信号減衰部３Ｌ−ｘ，３Ｒ−ｘで減衰されることなく、合成部４Ｌ，４Ｒに与えられる。一方、風雑音判定部２−ｘで風雑音が有るものと判定されたとき、減衰量α［ｘ］がαｋ［ｘ］（０＜αｋ［ｘ］＜１）に設定されることによって、周波数帯域がｆ［ｘ−１］＜ｆ≦ｆ［ｘ］となるＬ信号及びＲ信号それぞれが、信号減衰部３Ｌ−ｘ，３Ｒ−ｘで減衰されて、合成部４Ｌ，４Ｒに与えられる。尚、減衰量α［ｘ］、αｋ［ｘ］は、後述するように、指数演算又は乗算における乗数又は係数としてＬ信号及びＲ信号それぞれを減衰させるため、その値が１に近づくほど、音響信号の減衰される度合いが低く、その値が０に近づくほど、音響信号の減衰される度合いが高いものとされる。
【００３９】
このようにして、風雑音判定部２−１〜２−Ｎそれぞれで、Ｎ帯域の周波数帯域それぞれの風雑音の判定が成されて、減衰量α［１］〜α［Ｎ］が求められると、信号減衰部３Ｌ−１〜３Ｌ−Ｎ，３Ｒ−１〜３Ｒ−Ｎそれぞれにおいて、設定された減衰量α［１］〜α［Ｎ］によって、Ｌ信号及びＲ信号それぞれを減衰する演算処理を行う。この信号減衰部３Ｌ−１〜３Ｌ−Ｎ，３Ｒ−１〜３Ｒ−Ｎの動作について、信号減衰部３Ｌ−ｘ，３Ｒ−ｘを代表して説明する。
【００４０】
信号減衰部３Ｌ−ｘでは、時間周波数変換部１Ｌからで周波数軸方向の信号に変換されたＬ信号の内、周波数帯域がｆ［ｘ−１］＜ｆ≦ｆ［ｘ］となるＬ信号Ｌ（Δｆ×（ｎ［ｘ−１］＋１））〜Ｌ（Δｆ×ｎ［ｘ］）が入力され、それぞれに対して、減衰量α［ｘ］による演算が成される。同様に、信号減衰部３Ｒ−ｘでは、時間周波数変換部１Ｒからで周波数軸方向の信号に変換されたＲ信号の内、周波数帯域がｆ［ｘ−１］＜ｆ≦ｆ［ｘ］となるＲ信号Ｒ（Δｆ×（ｎ［ｘ−１］＋１））〜Ｒ（Δｆ×ｎ［ｘ］）が入力され、それぞれに対して、減衰量α［ｘ］による演算が成される。尚、減衰量α［ｘ］による演算については、後述する。
【００４１】
即ち、信号減衰部３Ｌ−ｘでは、Ｌ信号Ｌ（Δｆ×（ｎ［ｘ−１］＋１）），Ｌ（Δｆ×（ｎ［ｘ−１］＋２）），…，Ｌ（Δｆ×ｎ［ｘ］）それぞれに対して、減衰量α［ｘ］による演算が成されることで、減衰処理が施される。よって、信号減衰部３Ｌ−ｘから、減衰処理後のＬ信号Ｌｘ（Δｆ×（ｎ［ｘ−１］＋１）），Ｌｘ（Δｆ×（ｎ［ｘ−１］＋２）），…，Ｌｘ（Δｆ×ｎ［ｘ］）が、合成部４Ｌに与えられる。
【００４２】
同様に、信号減衰部３Ｒ−ｘでは、Ｒ信号Ｒ（Δｆ×（ｎ［ｘ−１］＋１）），Ｒ（Δｆ×（ｎ［ｘ−１］＋２）），…，Ｒ（Δｆ×ｎ［ｘ］）それぞれに対して、減衰量α［ｘ］による演算が成されることで、減衰処理が施される。よって、信号減衰部３Ｒ−ｘから、減衰処理後のＲ信号Ｒｘ（Δｆ×（ｎ［ｘ−１］＋１）），Ｒｘ（Δｆ×（ｎ［ｘ−１］＋２）），…，Ｒｘ（Δｆ×ｎ［ｘ］）が、合成部４Ｒに与えられる。
【００４３】
そして、合成部４Ｌにおいて、信号減衰部３Ｌ−１〜３Ｌ−Ｎそれぞれで演算処理が成された各周波数帯域のＬ信号を加算合成して、周波数軸の信号となるＬ信号Ｌｘ（ｆ）とするとともに、合成部４Ｒにおいて、信号減衰部３Ｒ−１〜３Ｒ−Ｎそれぞれで演算処理が成された各周波数帯域のＲ信号を加算合成して、周波数軸の信号となるＲ信号Ｒｘ（ｆ）とする。即ち、合成部４Ｌより、低周波数から順番となるＬ信号Ｌｘ（Δｆ×１）、Ｌｘ（Δｆ×２）、Ｌｘ（Δｆ×３）、…、Ｌｘ（Δｆ×ｎ）が時系列に並んだ周波数軸の信号となるＬ信号Ｌｘ（ｆ）が出力される。同様に、合成部４Ｒより、低周波数から順番となるＲ信号Ｒｘ（Δｆ×１）、Ｒｘ（Δｆ×２）、Ｒｘ（Δｆ×３）、…、Ｒｘ（Δｆ×ｎ）が時系列に並んだ周波数軸の信号となるＲ信号Ｒｘ（ｆ）が出力される。
【００４４】
この合成部４Ｌで得られた周波数軸の信号であるＬ信号Ｌｘ（ｆ）が周波数時間変換部５Ｌに与えられることによって、時間軸の信号となるＬ信号Ｌｘ（ｔ）に変換されて、風雑音が低減された信号として出力される。同様に、合成部４Ｒで得られた周波数軸の信号であるＲ信号Ｒｘ（ｆ）が周波数時間変換部５Ｒに与えられることによって、時間軸の信号となるＲ信号Ｒｘ（ｔ）に変換されて、風雑音が低減された信号として出力される。
【００４５】
このように動作する風雑音低減装置における、減衰量α［ｘ］の設定、及び、信号減衰部３Ｌ−ｘ，３Ｒ−ｘでの演算処理それぞれについて、以下に説明する。
【００４６】
（減衰量の設定について）
まず、風雑音が有ると判定したときの減衰量α［ｘ］として設定される値αｋ［ｘ］（０＜αｋ［ｘ］＜１）において、各周波数帯域に対して設定される値について、以下に説明する。まず、周波数の異なる音に対する、その音圧レベルと人間の聞こえる音の大きさ（以下、「ラウドネス量」と呼ぶ）との関係について、図２に示すラウドネス曲線を参照して説明する。図２に示すように、各周波数（単位［Hz］）においてラウドネス量（単位［phone］）が同一となる音圧（単位［dB］）を結ぶことで、等ラウドネス曲線が形成される。尚、以下の説明において、減衰量α［ｘ］として設定される値αｋ［ｘ］を、減衰量αｋ［ｘ］とする。
【００４７】
図２における等ラウドネス曲線より確認できるように、中域（３〜５ｋＨｚ）における音圧レベルが最も小さくなる。そして、この中域よりも周波数が低くなるほど、又は、中域よりも周波数が高くなるほど、等ラウドネス曲線上の音圧レベルが大きくなる。即ち、人間の聴覚は、中域が最もよく聞こえて、低い周波数帯域や高い周波数帯域になるほど聞こえにくくなる。
【００４８】
一方、風雑音の特性としては、上述したように、低域に集中することが知られているが、低域において、その減衰量が小さすぎると、減衰される度合いが大きいために、風雑音以外の音源成分までも減衰してしまう。そのため、音に歪みが発生して、元音源が聞こえなくなってしまうことがある。このことから、この風雑音の減衰処理における音の歪みを抑えるように、減衰量αｋ［１］〜αｋ［Ｎ］について、周波数帯域毎に異なる値に設定する。
【００４９】
このとき、図２の等ラウドネス曲線での音圧レベルが大きくなるものについては、減衰処理により音の歪みへの大きくなることから、図２の等ラウドネス曲線で音圧レベルが大きくなる周波数に対する減衰量が大きくなるように、減衰量αｋ［１］〜αｋ［Ｎ］それぞれの値が設定される。この減衰量αｋ［１］〜αｋ［Ｎ］それぞれの値について、図２の等ラウドネス曲線に忠実な値としても構わないし、概略的に近似させた値としても構わない。但し、低域に関しては、風雑音の影響が大きくなるため、図２の等ラウドネス曲線に基づいた値よりもやや小さい値に、その減衰量を設定した方が好ましい。
【００５０】
１．減衰量αｋ［１］〜αｋ［Ｎ］を固定値とするとき
上述のように、同一のラウドネス量の等ラウドネス曲線における音圧レベルに応じて、Ｎ帯域に分割された各周波数帯域の減衰量αｋ［１］〜αｋ［Ｎ］が設定される。例えば、概略的に近似した値で設定させる場合、ｆ［ｓ］＜ｆ≦ｆ［ｔ］（ｓ＞ｔ）が中域（３〜５ｋＨｚ）となるとき、減衰量αｋ［１］〜αｋ［ｓ］については、周波数が低いものほど、その値が大きくなるような固定値αｃ［１］〜αｃ［ｓ］に設定する。又、減衰量αｋ［ｔ］〜αｋ［Ｎ］については、周波数が高いものほど、その値が大きくなるような固定値αｃ［ｔ］〜αｃ［Ｎ］に設定する。
【００５１】
そして、減衰量αｋ［ｓ＋１］〜αｋ［ｔ−１］については、上述の固定値αｃ［ｓ］，αｃ［ｔ］よりも小さい値αｃとなるように設定しても構わない。このように、固定値αｃ，αｃ［１］〜αｃ［ｓ］，αｃ［ｔ］〜αｃ［Ｎ］が設定されるとき、その関係が、０＜αｃ＜αｃ［ｓ］≦αｃ［ｓ−１］≦…≦αｃ［１］＜１、０＜αｃ＜αｃ［ｔ］≦αｃ［ｔ＋１］≦…≦αｃ［Ｎ］＜１となるように、設定されることとなる。
【００５２】
２．減衰量αｋ［１］〜αｋ［Ｎ］を変動値とするとき
更に、上述のように固定値によって設定するのではなく変動値で設定する場合、上述のような固定値に変動値を加算した値によって設定される。このとき、加算される変動値については、上述の相関値Ｋａｖ［１］〜Ｋａｖ［Ｎ］によって設定されるものとしても構わないし、相関値Ｋａｖ［１］〜Ｋａｖ［Ｎ］と閾値Ｔｈ［１］〜Ｔｈ［Ｎ］との差の絶対値｜Ｋａｖ［１］−Ｔｈ［１］｜〜｜Ｋａｖ［Ｎ］−Ｔｈ［Ｎ］｜によって設定されるものとしても構わない。
【００５３】
よって、例えば、絶対値｜Ｋａｖ［１］−Ｔｈ［１］｜〜｜Ｋａｖ［Ｎ］−Ｔｈ［Ｎ］｜によって設定される場合、減衰量αｋ［ｘ］を代表して説明すると、その固定値がαｃ［Ｋ］とされるとき、減衰量αｋ［ｘ］が（３）式に基づく値に設定されることとなる。即ち、固定値αｃ［ｘ］に、変動値（１−αｃ［ｘ］）×｜Ｋａｖ［ｘ］−Ｔｈ［ｘ］｜が加算された値が、減産量αｋ［ｘ］とされる。尚、変動値については、上述したように、（１−αｃ［ｘ］）×Ｋａｖ［ｘ］としても構わない。
αｋ［ｘ］＝αｃ［ｘ］＋（１−αｃ［ｘ］）×｜Ｋａｖ［ｘ］−Ｔｈ［ｘ］｜
…（３）
【００５４】
尚、上述したように、減衰量αｋ［１］〜αｋ［Ｎ］について、ラウドネス曲線などの人間の聴覚心理モデルや相関値Ｋａｖ［１］〜Ｋａｖ［Ｎ］によって値が設定されるものとしたが、例えば、スピーカの大きさや口径などといった再生する環境に応じて値が設定されるものとしても構わない。
【００５５】
（信号減衰部での演算処理）
上述のように設定された減衰量が与えられる信号減衰部３Ｌ−１〜３Ｌ−Ｎ，３Ｒ−１〜３Ｒ−Ｎでの演算処理について、以下に説明する。以下では、信号減衰部３Ｌ−ｘ，３Ｒ−ｘを代表して説明するとともに、入力されるＬ信号及びＲ信号をそれぞれＬ（ｆ）、Ｒ（ｆ）とするとともに、出力するＬ信号及びＲ信号をそれぞれＬｘ（ｆ）、Ｒｘ（ｆ）とする。又、風雑音判定部２−ｘで設定された減衰量α［ｘ］が信号減衰部３Ｌ−ｘ，３Ｒ−ｘに与えられて、（４）式及び（５）式による減衰量α［ｘ］による演算処理が成される。
Ｌｘ（ｆ）＝Ｌ（ｆ）α[x]  …（４）
Ｒｘ（ｆ）＝Ｒ（ｆ）α[x]  …（５）
【００５６】
このような演算処理が成されるため、風雑音が無いものと判定されるとき、減衰量α［ｘ］が１とされることから、（４）式及び（５）式がそれぞれ、Ｌｘ（ｆ）＝Ｌ（ｆ）、Ｒｘ（ｆ）＝Ｒ（ｆ）となるため、入力されるＬ信号及びＲ信号を減衰することなく出力することができる。又、風雑音が有るものと判定されるとき、減衰量α［ｘ］を１より小さい値とし、（４）式及び（５）式における乗数として扱うことにより、入力されるＬ信号及びＲ信号を減衰することができる。
【００５７】
このように（４）式及び（５）式のような演算処理がなされるものとするとき、上述したように、減衰量α［ｘ］として設定される値αｋ［ｘ］が等ラウドネス曲線での音圧レベルに基づいて設定されるとき、例えば、１００〜３００Ｈｚにおける減衰量の固定値（上述のαｃ［ｘ］に相当）が０．８５とされ、６５０〜８５０Ｈｚそれぞれの帯域おける減衰量の固定値が０．８０とされる。
【００５８】
この減衰量の設定により、等ラウドネス曲線における音圧レベルが高くなる１００〜３００Ｈｚにおける減衰量が高くなることで、人間にとって聞こえにくい１００〜３００Ｈｚにおける原音について、人間の聴覚に対応するラウドネス量が得られるようにすることができる。そして、人間にとって聞こえやすい６５０〜８５０Ｈｚにおける減衰量が低くなることで、人間の聴覚に対して風雑音が低減された音響として、再生することができる。
【００５９】
又、上述のように、信号減衰部３Ｌ−ｘ，３Ｒ−ｘでの演算式について、（４）式及び（５）式のように、減衰量α［ｘ］を乗数とすることで減衰するものとしたが、（６）式及び（７）式のように、減衰量α［ｘ］を係数として、入力されるＬ信号及びＲ信号に乗算するものとしても構わない。尚、（４）式及び（５）式のように、減衰量α［ｘ］を乗数とすることで減衰させた場合、（６）式及び（７）式のように乗算した場合と比べて、風雑音の影響が非常に大きい場合には、風雑音の抑制量を大きくすることができ、逆に、風雑音の影響がそれほど大きくない場合は、風雑音の抑制量を小さくすることができる。
Ｌｘ（ｆ）＝α［ｘ］×Ｌ（ｆ）  …（６）
Ｒｘ（ｆ）＝α［ｘ］×Ｒ（ｆ）  …（７）
【００６０】
上述の基本構成となる風雑音低減装置の実施形態について、以下に説明する。尚、以下の各実施形態では、上述した風雑音の有無を判定するための閾値Ｔｈ［ｘ］の設定が異なるため、この閾値Ｔｈ［ｘ］の設定を中心に説明する。
【００６１】
＜第１の実施形態＞
上述の基本構成（図１）のように構成される風雑音低減装置の第１の実施形態について、以下に説明する。本実施形態では、風雑音判定部２−１〜２−Ｎそれぞれにおいて風雑音の有無を判定する際に使用される閾値Ｔｈ［１］〜Ｔｈ［Ｎ］それぞれを、固定値とする。
【００６２】
まず、［背景技術］で述べたように、風雑音が低域（５０Ｈｚ〜１ｋＨｚ）から中域（３〜５ｋＨｚ）に至るまで周波数帯域に発生する傾向にある。又、風雑音は、低域になるほど集中する特性を有している。これらのことから、本実施形態における固定値となる閾値Ｔｈ［１］〜Ｔｈ［Ｎ］は、低域のものほど値を高くすることにより、風雑音が判定されやすいように設定される。
【００６３】
即ち、閾値Ｔｈ［ｘ］について、ｘの値が小さいものほど、閾値Ｔｈ［ｘ］の値を高くなるように設定する。このようにすることで、主に、風雑音の発生する低域から中域に至るまでの周波数帯域において、風雑音の有無の判定を行うことができる。このとき、閾値Ｔｈ［１］〜Ｔｈ［Ｎ］の値を、０．５≦Ｔｈ［１］〜Ｔｈ［Ｎ］≦０．９で設定されるものとする。
【００６４】
＜第２の実施形態＞
上述の基本構成（図１）のように構成される風雑音低減装置の第２の実施形態について、以下に説明する。本実施形態では、風雑音判定部２−１〜２−Ｎそれぞれにおいて風雑音の有無を判定する際に使用される閾値Ｔｈ［１］〜Ｔｈ［Ｎ］それぞれを、一定時間Ｔ毎に変化させる変動値とする。尚、この風雑音を判定する一定時間Ｔによる時間間隔を、以下において、「フレーム」と呼ぶ。
【００６５】
本実施形態における閾値Ｔｈ［１］〜Ｔｈ［Ｎ］は、第１フレームの風雑音を判定するために、初期値として、第１の実施形態のようにして設定された固定値Ｔｈ−１［１］〜Ｔｈ−１［Ｎ］が与えられる。そして、第２フレーム以降においては、前フレームの判定結果に基づいて、閾値Ｔｈ［１］〜Ｔｈ［Ｎ］の設定が行われる。以下において、第２フレーム以降の第Ｆフレーム（Ｆは、Ｆ≧２の自然数）の閾値Ｔｈ−Ｆ［１］〜Ｔｈ−Ｆ［Ｎ］（尚、「−Ｆ」が第Ｆフレームであることを示す）の設定について、風雑音判定部２−ｘにおける閾値Ｔｈ［ｘ］を代表として、説明する。
【００６６】
（１）第Ｆ−１フレームにおいて風雑音有りと判定されたとき
風雑音判定部２−ｘにおいて第Ｆ−１フレームの風雑音が判定されるとき、相関値Ｋａｖ［ｘ］が閾値Ｔｈ−（Ｆ−１）［ｘ］以下となり（Ｋａｖ［ｘ］≦Ｔｈ−（Ｆ−１）［ｘ］）、風雑音有りと判定されると、第Ｆフレームの風雑音を判定するための閾値Ｔｈ−Ｆ［ｘ］を閾値Ｔｈ−（Ｆ−１）［ｘ］よりもΔＴｈだけ高い値Ｔｈ−（Ｆ−１）［ｘ］＋ΔＴｈとする。即ち、第Ｆ−１フレームにおいて風雑音が有るものと判定されたため、連続した次のフレームである第Ｆフレームにおいても風雑音が有る確率が高いと考えられるため、閾値Ｔｈ−Ｆ［ｘ］が風雑音を判定されやすい値に設定されることとなる。
【００６７】
そして、閾値Ｔｈ［ｘ］に対して、例えば、その最大値をＴｈｍａｘ［ｘ］のように設定されていたとき、前のフレームである第Ｆ−１フレームにおける閾値Ｔｈ−（Ｆ−１）［ｘ］が、この最大値Ｔｈｍａｘ［ｘ］に達しているか否かが確認される。このとき、閾値Ｔｈ−（Ｆ−１）［ｘ］が最大値Ｔｈｍａｘ［ｘ］である場合は、第Ｆフレームにおける閾値Ｔｈ−Ｆ［ｘ］についても、前のフレームのものと同値である最大値Ｔｈｍａｘ［ｘ］に設定する。
【００６８】
尚、最大値Ｔｈｍａｘ［ｘ］について、Ｔｈｍａｘ［１］〜Ｔｈｍａｘ［Ｎ］全てについて一定の値（例えば、０．９）としても構わないし、判定する周波数帯域によって異なるものとしても構わない。又、最大値Ｔｈｍａｘ［ｘ］を周波数帯域によって異なるものとする場合、例えば、第１の実施形態の例の対応するように、閾値の最大値Ｔｈｍａｘ［１］〜Ｔｈｍａｘ［Ｎ］の関係が、Ｔｈｍａｘ［１］〜Ｔｈｍａｘ［ｋ］＞Ｔｈｍａｘ［ｋ＋１］〜Ｔｈｍａｘ［Ｎ］となるように設定するものとしても構わない。
【００６９】
（２）第Ｆ−１フレームにおいて風雑音無しと判定されたとき
一方、風雑音判定部２−ｘにおいて第Ｆ−１フレームの風雑音が判定されるとき、相関値Ｋａｖ［ｘ］が閾値Ｔｈ−（Ｆ−１）［ｘ］より大きくなり（Ｋａｖ［ｘ］＞Ｔｈ−（Ｆ−１）［ｘ］）、風雑音無しと判定されると、第Ｆフレームの風雑音を判定するための閾値Ｔｈ−Ｆ［ｘ］を閾値Ｔｈ−（Ｆ−１）［ｘ］よりもΔＴｈだけ低い値Ｔｈ−（Ｆ−１）［ｘ］−ΔＴｈとする。即ち、第Ｆ−１フレームにおいて風雑音が無いものと判定されたため、連続した次のフレームである第Ｆフレームにおいても風雑音が無い確率が高いと考えられるため、閾値Ｔｈ−Ｆ［ｘ］が風雑音を判定されにくい値に設定されることとなる。
【００７０】
そして、閾値Ｔｈ［ｘ］に対して、例えば、その最小値をＴｈｍｉｎ［ｘ］のように設定されていたとき、前のフレームである第Ｆ−１フレームにおける閾値Ｔｈ−（Ｆ−１）［ｘ］が、この最小値Ｔｈｍｉｎ［ｘ］に達しているか否かが確認される。このとき、閾値Ｔｈ−（Ｆ−１）［ｘ］が最大値Ｔｈｍｉｎ［ｘ］である場合は、第Ｆフレームにおける閾値Ｔｈ−Ｆ［ｘ］についても、前のフレームのものと同値である最小値Ｔｈｍｉｎ［ｘ］に設定する。
【００７１】
尚、最小値Ｔｈｍｉｎ［ｘ］についても、最大値Ｔｈｍａｘ［ｘ］と同様、Ｔｈｍｉｎ［１］〜Ｔｈｍｉｎ［Ｎ］全てについて一定の値（例えば、０．５）としても構わないし、判定する周波数帯域によって異なるものとしても構わない。又、最小値Ｔｈｍｉｎ［ｘ］を周波数帯域によって異なるものとする場合、例えば、第１の実施形態の例の対応するように、閾値の最小値Ｔｈｍｉｎ［１］〜Ｔｈｍｉｎ［Ｎ］の関係が、Ｔｈｍｉｎ［１］〜Ｔｈｍｉｎ［ｋ］＞Ｔｈｍｉｎ［ｋ＋１］〜Ｔｈｍｉｎ［Ｎ］となるように設定するものとしても構わない。
【００７２】
＜第３の実施形態＞
上述の基本構成（図１）のように構成される風雑音低減装置の第３の実施形態について、以下に説明する。本実施形態では、第２の実施形態と同様、風雑音判定部２−１〜２−Ｎそれぞれにおいて風雑音の有無を判定する際に使用される閾値Ｔｈ［１］〜Ｔｈ［Ｎ］それぞれを、フレーム毎に変化させる変動値とする。
【００７３】
本実施形態では、第２の実施形態と異なり、風雑音が低帯域に集中するという特性に基づいて、低帯域で風雑音が有るものと判定したとき、同一フレームにおける各周波数帯域の閾値Ｔｈ［１］〜Ｔｈ［Ｎ］を全体的に高くして、風雑音が判定されやすくなるように設定する。例えば、ｆ［０］＜ｆ≦ｆ［ｓ］を低域とするとき、閾値Ｔｈ［１］〜Ｔｈ［ｓ］の値を、第１の実施形態と同様の固定値とし、まず、低域となる周波数帯域ｆ［０］＜ｆ≦ｆ［ｓ］におけるｓ帯域に分割された各周波数帯域に対して、風雑音の有無が判定される。
【００７４】
そして、この低域におけるｓ帯域において、風雑音が有るものと判定された帯域の数Ｎｆが所定値Ｎｆｔｈ（Ｎｆｔｈは、１≦Ｎｆｔｈ≦ｓ）以上となったとき、周波数ｆ［ｓ］よりも高い周波数帯域でも風雑音が存在する確率が高いので、周波数帯域ｆ［ｓ］＜ｆ≦ｆ［Ｎ］に対して判定する閾値Ｔｈ［ｓ＋１］〜Ｔｈ［Ｎ］の値を固定値よりもΔＴｈだけ高い値とする。逆に、低域におけるｓ帯域において、風雑音が有るものと判定された帯域の数Ｎｆが所定値Ｎｆｔｈより少ない場合、周波数ｆ［ｓ］よりも高い周波数帯域でも風雑音が存在しない確率が高いので、周波数帯域ｆ［ｓ］＜ｆ≦ｆ［Ｎ］に対して判定する閾値Ｔｈ［ｓ＋１］〜Ｔｈ［Ｎ］の値を固定値よりもΔＴｈだけ低い値とする。
【００７５】
尚、周波数帯域ｆ［ｓ］＜ｆ≦ｆ［Ｎ］全ての帯域における閾値Ｔｈ［ｓ＋１］〜Ｔｈ［Ｎ］の値を、低域となる周波数帯域ｆ［０］＜ｆ≦ｆ［ｓ］における判定結果に基づいて変化させるのではなく、その一部であって、比較的風雑音が確認される確率の高い中域のような周波数帯域ｆ［ｓ］＜ｆ≦ｆ［ｋ］（但し、ｆ［ｓ］＜ｆ［ｋ］）における閾値Ｔｈ［ｓ＋１］〜Ｔｈ［ｋ］だけを変化させるものとしても構わない。換言すると、周波数帯域ｆ［０］＜ｆ≦ｆ［ｓ］における風雑音の有無にかかわらず、閾値Ｔｈ［ｋ＋１］〜Ｔｈ［Ｎ］については、固定値で一定とされる。
【００７６】
又、低周波数側に隣接する帯域における風雑音の有無によって変動するものとしても構わない。即ち、周波数帯域ｆ［ｘ−１］＜ｆ≦ｆ［ｘ］の閾値Ｔｈ［ｘ］について、低周波数側に隣接する帯域ｆ［ｘ−２］＜ｆ≦ｆ［ｘ−１］において風雑音が有るものと判定されると、固定値よりΔＴｈ高い値に設定され、低周波数側に隣接する帯域ｆ［ｘ−２］＜ｆ≦ｆ［ｘ−１］において風雑音が無いものと判定されると、固定値よりΔＴｈ低い値に設定される。
【００７７】
更に、低域となる周波数帯域ｆ［０］＜ｆ≦ｆ［ｓ］おける相関値と閾値との差｜Ｋａｖ［１］−Ｔｈ［１］｜〜｜Ｋａｖ［ｓ］−Ｔｈ［ｓ］｜の平均値に基づいて、固定値からの変動量を設定するものとしても構わない。即ち、相関値と閾値の平均値が大きくなるにつれて、閾値Ｔｈ［ｓ＋１］〜Ｔｈ［ｋ］の値が高くなるように、固定値からの変動量を大きくする。又、低域となる周波数帯域ｆ［０］＜ｆ≦ｆ［ｓ］において風雑音があるものと判定された帯域数Ｎｆに基づいて、固定値からの変動量を設定するものとしても構わない。即ち、帯域数Ｎｆが大きくなるにつれて、閾値Ｔｈ［ｓ＋１］〜Ｔｈ［ｋ］の値が高くなるように、固定値からの変動量を大きくする。
【００７８】
又、本実施形態において、第２の実施形態のように、前のフレームにおける風雑音の判定結果に基づいて、閾値Ｔｈ［１］〜Ｔｈ［Ｎ］の値を変化させた後に、低域の判定結果に基づいて、低域以外の帯域の閾値の値を変化させるものとしても構わない。更に、本実施形態においても閾値Ｔｈ［１］〜Ｔｈ［Ｎ］それぞれを、フレーム毎に変化させる変動値とするため、第２の実施形態と同様、上限となる最大値Ｔｈｍａｘ［１］〜Ｔｈｍａｘ［Ｎ］（例えば、０．９）や、下限となる最小値Ｔｈｍｉｎ［１］〜Ｔｈｍｉｎ［Ｎ］（例えば、０．５）を設定することが好ましい。
【００７９】
尚、上述の各実施形態において、閾値Ｔｈ［１］〜Ｔｈ［Ｎ］それぞれを設定して、風雑音判定部２−１〜２−Ｎそれぞれにより、取得された音響信号における全ての周波数帯域に対して、風雑音の有無が検出されるものとしたが、風雑音の影響が小さい高域の周波数帯域においては、風雑音の有無について検出されることがないものとしても構わない。このとき、高域の各周波数帯域に対する閾値Ｔｈ［ｘ］を０とすることで、高域の各周波数帯域のＬ信号及びＲ信号が入力される風雑音判定部２−ｘにおいて、その判定結果が常に、風雑音がないことを示すものとしても構わない。又、風雑音の影響が小さい高域の周波数帯域については、風雑音判定部２−ｘが設置されず、常に風雑音の影響がないものとして、減衰量α［ｘ］が設定されるものとしても構わない。
【実施例１】
【００８０】
以下において、音響信号の記録を行う撮像装置や録音装置、又は、音響信号の再生を行う再生装置などの電子機器に対して、上述した本発明の風雑音低減装置を適用した実施例について説明する。本実施例の電子機器は、動画及び静止画の撮影及び音響信号の録音が可能なデジタルビデオカメラなどの撮像装置とする。図３は、本実施例における撮像装置の内部構成を示すブロック図である。
【００８１】
図３に示すように、本実施形態の撮像装置は、被写体のから入射される光を電気信号に変換するＣＣＤ（Charge Coupled Device）やＣＭＯＳ（Complimentary Metal Oxide Semiconductor）センサなどの固体撮像素子（イメージセンサ）１０１と、イメージセンサ１０１から出力されるアナログ信号である画像信号をデジタル信号に変換するＡＦＥ（Analog FrontEnd）１０２と、外部から入力された音響を電気信号に変換するステレオマイク１０３と、ＡＦＥ１０２からのデジタル信号となる画像信号に対して超解像処理を含む各種画像処理を施す画像処理部１０４と、ステレオマイク１０３からのアナログ信号であるＬ信号及びＲ信号をデジタル信号に変換する音響処理部１０５と、画像処理部１０４からの画像信号に対してＭＰＥＧ（Moving Picture Experts Group）方式やＪＰＥＧ（Joint Photographic Experts Group）方式などの圧縮符号化処理を施す画像圧縮処理部１０６と、音響処理部１０５からのＬ信号及びＲ信号に対してＡＡＣ（Advanced Audio Coding）などのオーディオ圧縮符号化処理を施す音響圧縮処理部１０７と、画像圧縮処理部１０６及び音響圧縮処理部１０７で圧縮符号化された圧縮符号化信号を外部メモリ１２０に記録するドライバ部１０８と、を備える。
【００８２】
更に、この図３の撮像装置は、ドライバ部１０８で外部メモリ１２０から読み出した圧縮符号化信号を伸長して復号する伸長処理部１０９と、伸長処理部１０９で復号されて得られた画像信号又は画像処理部１０４からの画像信号による画像の表示を行うディスプレイ部１１０と、伸長処理部１０９で復号されて得られたＬ信号及びＲ信号又は音響処理部１０５からのＬ信号及びＲ信号をアナログ信号に変換して再生出力するスピーカ部１１１と、を備える。
【００８３】
更に、この図１の撮像装置は、各ブロックの動作タイミングを一致させるためのタイミング制御信号を出力するタイミングジェネレータ１１２と、撮像装置内全体の駆動動作を制御するＣＰＵ（Central Processing Unit）１１３と、各動作のための各プログラムを記憶するとともにプログラム実行時のデータの一時保管を行うメモリ１１４と、ユーザからの指示が入力される操作部１１５と、ＣＰＵ１１３と各ブロックとの間でデータのやりとりを行うためのバス回線１１６と、メモリ１１４と各ブロックとの間でデータのやりとりを行うためのバス回線１１７と、を備える。
【００８４】
（１）動画撮影動作
このような撮像装置において、動画撮影動作を行うことが操作部１１５によって指示されると、イメージセンサ１０１の光電変換動作によって得られたアナログ信号である画像信号がＡＦＥ１０２に出力される。このとき、イメージセンサ１０１では、タイミングジェネレータ１１２からのタイミング制御信号が与えられることによって、水平走査及び垂直走査が行われて、画素毎のデータとなる画像信号が出力される。
【００８５】
ＡＦＥ１０２において、アナログ信号となる画像信号がデジタル信号に変換されて、画像処理部１０４に入力されると、輝度信号及び色差信号の生成を行う信号変換処理などの各種画像処理が施される。そして、画像処理部１０４で画像処理が施された画像信号が画像圧縮処理部１０６に与えられ、ＭＰＥＧ圧縮方式に基づいて圧縮符号化される。
【００８６】
又、ステレオマイク１０３からは、左側及び右側それぞれから音声入力されることで得られたアナログ信号であるＬ信号及びＲ信号が、音響処理部１０５でデジタル信号に変換されて、音響圧縮処理部１０７に与えられる。そして、音響圧縮処理部１０７では、デジタル信号とされたＬ信号及びＲ信号に対して、オーディオ圧縮符号方式に基づいて、圧縮符号化処理を施す。
【００８７】
そして、圧縮符号化された画像信号及び音響信号がそれぞれ、画像圧縮処理部１０６及び音響圧縮処理部１０７それぞれからドライバ部１０８に与えられると、外部メモリ１２０に記録される。又、このとき、画像処理部１０４で画像処理された画像信号がディスプレイ部１１０に与えられて、現在、イメージセンサ１０１を通じて撮影されている被写体画像が表示されることで、プレビュー画像が表示される。
【００８８】
（２）静止画撮影動作
静止画撮影が指示された場合においては、動画撮影が指示された場合と異なり、画像信号のみの圧縮信号が画像圧縮処理部１０６においてＪＰＥＧ（Joint Photographic Experts Group）圧縮符号方式などの圧縮符号方式によって得られ、外部メモリ１２０に記録される。よって、その他の基本動作については動画撮影時の動作と同様である。又、この静止画撮影の場合、操作部１１５によって撮影された静止画像に対する圧縮信号が外部メモリ１２０に記録されるだけでなく、画像処理部１０４で画像処理された画像信号がディスプレイ部１１０に与えられて、現在、イメージセンサ１０１を通じて撮影されている被写体画像が表示されることで、プレビュー画像が表示される。
【００８９】
上述のように、静止画像及び動画それぞれに対する撮像動作を行うとき、タイミングジェネレータ１１２によって、ＡＦＥ１０２、映像処理部１０４、音響処理部１０５、画像圧縮処理部１０６、及び音響圧縮処理部１０７に対してタイミング制御信号が与えられ、イメージセンサ１による１フレームごとの撮像動作に同期した動作が行われる。又、静止画撮影のときは、操作部１１５によるシャッタ動作に基づいて、タイミングジェネレータ１１２より、イメージセンサ１０１、ＡＦＥ１０２、映像処理部１０４、及び、画像圧縮処理部１０６それぞれに対してタイミング制御信号が与えられ、各部の動作タイミングを同期させる。
【００９０】
（３）動画又は静止画像の再生
又、外部メモリ１２０に記録された動画又は静止画像を再生することが、操作部１１５を通じて指示されると、外部メモリ１２０に記録された圧縮信号は、ドライバ部１０８によって読み出されて伸長処理部１０９に与えられる。そして、動画の場合は、伸長処理部１０９において、ＭＰＥＧ圧縮符号方式及びオーディオ圧縮符号化方式に基づいて伸長復号されて、画像信号及び音響信号が取得される。そして、画像信号がディスプレイ部１１０に与えられて画像が再生されるとともに、Ｌ信号及びＲ信号がスピーカ部１１１に与えられて音声が再生される。これにより、外部メモリ１２０に記録された圧縮信号に基づく動画が再生される。
【００９１】
又、静止画像の場合は、伸長処理部１０９において、ドライバ部１０８によって外部メモリ１２０から読み出された信号に対して、ＪＰＥＧ圧縮符号方式に基づく伸長復号が施されることで、画像信号が取得される。そして、画像信号がディスプレイ部１１０に与えられて画像が再生される。これにより、外部メモリ１２０に記録された圧縮信号に基づく静止画像が再生される。
【００９２】
（４）音響圧縮処理部に風雑音低減機能を追加
このような撮像装置において、音響圧縮処理部１０７を、風雑音低減機能が設けられた構成とする。図４のブロック図に、この風雑音低減機能を備えた音響圧縮処理部１０７の構成を示す。図４に示すように、音響圧縮処理部１０７は、音響処理部１０５からのＬ信号及びＲ信号それぞれを時間軸の信号から周波数軸の信号に変換するフィルタバンク７１と、このフィルタバンク７１で周波数軸の信号に変換されたＬ信号及びＲ信号を時系列に並ぶように合成する合成部７２と、合成部７２で合成されたＬ信号及びＲ信号を量子化する量子化部７３と、を備える。
【００９３】
そして、このような構成の音響圧縮処理部１０７に対して、更に、フィルタバンク７１からのＬ信号及びＲ信号の周波数軸方向の信号に対して周波数帯域毎の風雑音の有無を判定する風雑音判定部７４と、風雑音判定部７４の判定結果によりフィルタバンク７１からのＬ信号及びＲ信号に対して周波数帯域毎に減衰処理を施して合成部７２に出力する信号減衰部７５とを、備える。
【００９４】
このとき、風雑音判定部７４を、図１の構成における風雑音判定部２−１〜２−Ｎによって構成するものとし、信号減衰部７５を、図１の構成における信号減衰部３Ｌ−１〜３Ｌ−Ｎ，３Ｒ−１〜３Ｒ−Ｎによって構成するものとする。このように構成することによって、音響圧縮処理部１０７において、従来でも必要とされる構成であるフィルタバンク７１、合成部７２、及び量子化部７３に、上述の各実施形態で説明した動作を行う風雑音判定部７４及び信号減衰部７５を追加することによって、風雑音低減機能を追加することができる。
【００９５】
この図４のような構成の音響圧縮処理部１０７を備えることによって、ステレオマイク１０３によって取得されたＬ信号及びＲ信号を外部メモリ１２０に記憶する際、その風雑音を低減したＬ信号及びＲ信号を圧縮して記憶させることができる。又、この音響圧縮処理部１０７で得られた圧縮信号を外部メモリ１２０に記憶した後、伸長処理部１０９で伸長処理を施してスピーカ部１１１より出力することで、風雑音が低減された音響を再生出力することができる。
【００９６】
（５）伸長処理部に風雑音低減機能を追加
上述では、音響圧縮処理部１０７に風雑音低減機能を備えるものとしたが、伸長処理部１０９の音響処理ブロックにおいて、風雑音低減機能を設けるものとしても構わない。即ち、図５に示すように、ハフマン符号化などが施された圧縮信号を復号化した後に復調して周波数軸方向の信号となるＬ信号及びＲ信号を取得する復調部９１の後段に、風雑音判定部７４及び信号減衰部７５を追加した構成とする。
【００９７】
そして、信号減衰部７５で周波数帯域毎に風雑音の低減処理が成された周波数軸方向の信号となるＬ信号及びＲ信号が合成部９２に与えられて、周波数軸方向の各信号が時系列的に並んだＬ信号及びＲ信号が得られる。このＬ信号及びＲ信号が、周波数時間変換部９３に与えられることで、時間軸の信号に変換されてスピーカ部１１１に出力される。
【００９８】
このように構成することによって、伸長処理部１０９において、従来でも必要とされる構成である復調部９１、合成部９２、周波数時間変換部９３に、上述した動作を行う風雑音判定部７４及び信号減衰部７５を追加することによって、風雑音低減機能を追加することができる。この図５のような構成の伸長処理部１０９を備えることによって、外部メモリ１２０に記憶した圧縮信号による音響信号を再生出力する際、その風雑音が含まれたＬ信号及びＲ信号による圧縮信号であったとしても、伸長処理部１０９で伸長処理を施したときに、風雑音を低減することができる。
【００９９】
尚、本実施例のように構成するとき、風雑音の判定及び低減を行うために分割する周波数帯域数Ｎについて、圧縮符号化又は伸長復号化するときのオーディオ圧縮符号化方式における帯域分割単位と等しくすることで、その演算処理を効率の良いものとすることができ、低処理量の実装が可能となる。
【０１００】
又、本実施例においては、図３のような構成の撮像装置のように、音響の記録及び再生が可能な装置を例に挙げて説明したが、音響の記録及び再生のいずれか一方のみを行う電子機器としても構わない。即ち、記録装置として構成される場合、図３の構成において、少なくとも音響信号の記録動作を行うブロックを備えるとともに、図４に示す構成の音響圧縮処理部を備える。逆に、再生装置として構成される場合、音響信号の再生動作を行うブロックを備えるとともに、図５に示す構成の音声ブロックを有する伸長処理部を備える。
【産業上の利用可能性】
【０１０１】
尚、実施例１において撮像装置を例に挙げて、電子機器への適用例を説明したが、撮像装置に限らず、音響の記録又は再生を行う電子機器であれば適用可能であり、例えば、ＩＣレコーダ、携帯電話、その他、光ディスクや磁気ディスクやメモリなどの記録媒体の音響信号の記録・再生が可能な電子機器に対して適用可能である。
【図面の簡単な説明】
【０１０２】
【図１】は、本発明の風雑音低減装置の基本構成となる内部構成を示すブロック図である。
【図２】は、等ラウドネス曲線の周波数と音圧レベルの関係を示すグラフである。
【図３】は、実施例１における撮像装置の内部構成を示すブロック図である。
【図４】は、図３の撮像装置の音響圧縮処理部の内部構成を示すブロック図である。
【図５】は、図３の撮像装置の伸長処理部の内部構成を示すブロック図である。
【図６】は、従来の風雑音低減装置の内部構成を示すブロック図である。
【図７】は、従来の風雑音低減装置による風雑音低減処理動作を説明するための図である。
【符号の説明】
【０１０３】
１Ｌ，１Ｒ    時間周波数変換部
２−１〜２−Ｎ    風雑音判定部
３Ｌ−１〜３Ｌ−Ｎ，３Ｒ−１〜３Ｒ−Ｎ    信号減衰部
４Ｌ，４Ｒ    合成部
５Ｌ，５Ｒ    周波数時間変換部
【図１】
2009005133.tif 000005
【図２】
2009005133.tif 000006
【図３】
2009005133.tif 000007
【図４】
2009005133.tif 000008
【図５】
2009005133.tif 000009
【図６】
2009005133.tif 000010
【図７】
2009005133.tif 000011